(57)【特許請求の範囲】
【請求項１】
複数の通信局装置に共通なコードを用いて拡散された信号と各通信局装置毎に固有なコードを用いて拡散された信号とを無線送信する通信局装置からこれらの拡散信号を受信する無線通信装置であって、
共通コードを用いて検出される第１の拡散信号群の中で基準となる通信局装置の固有コードを用いて検出される第２の拡散信号群と対応する拡散信号以外の拡散信号を当該基準通信局装置以外の通信局装置からの拡散信号として検出する他局拡散信号検出手段を備え、
他局拡散信号検出手段は、共通コードを用いて受信信号から遅延プロファイルを検出する共通コード遅延プロファイル検出手段と、当該検出した遅延プロファイルと所定の閾値との大小を比較する共通コード比較手段と、当該比較結果に基づいて第１の拡散信号群の拡散信号の受信タイミングを検出する共通コード受信タイミング検出手段と、基準となる通信局装置の固有コードを用いて受信信号から遅延プロファイルを検出する固有コード遅延プロファイル検出手段と、当該検出した遅延プロファイルと所定の閾値との大小を比較する固有コード比較手段と、当該比較結果に基づいて第２の拡散信号群の拡散信号の受信タイミングを検出する固有コード受信タイミング検出手段と、共通コード受信タイミング検出手段により受信タイミングが検出されたが固有コード受信タイミング検出手段により受信タイミングが非検出であった拡散信号を当該基準通信局装置以外の通信局装置からの拡散信号として検出する受信タイミング比較手段とを用いて構成された、
ことを特徴とする無線通信装置。
【請求項２】
請求項１に記載の無線通信装置において、
他局拡散信号検出手段は、基準となる通信局装置からの拡散信号の受信タイミングを含む所定の時間幅の内側のタイミングで受信する拡散信号の中から当該基準通信局装置以外の通信局装置からの拡散信号を検出する、
ことを特徴とする無線通信装置。
【発明の詳細な説明】
【０００１】
【発明の属する技術分野】
本発明は、無線中継増幅装置などの無線通信装置に関し、特に、例えば基準となる基地局装置以外の基地局装置から無線送信される信号のパス検出を効率化する技術に関する。
【０００２】
【従来の技術】
例えば直接拡散−符号分割多元接続（ＤＳ−ＣＤＭＡ：Direct Sequence - Code Division Multiple Access）方式を用いて基地局装置と移動局装置との間で無線通信を行う移動通信システムでは、信号を拡散符号（コード）により拡散して得られる拡散信号を無線により送受信することが行われる。また、このようなシステムには、基地局装置と移動局装置との間で通信される信号を中継増幅する無線中継増幅装置が設けられる。
【０００３】
なお、無線中継増幅装置では、基地局装置から移動局装置に対して無線送信される信号（下り信号）を受信して増幅した後に移動局装置に対して無線送信し、移動局装置から基地局装置に対して無線送信される信号（上り信号）を受信して増幅した後に基地局装置に対して無線送信することにより、基地局装置と移動局装置との間で通信される信号を中継増幅する。
【０００４】
このようなシステムでは、例えば、複数の伝送シンボル区間にわたって、基地局装置毎に固有である長い拡散符号（ロングコード）と基地局装置内で多重化された各チャネル毎に固有である短い拡散符号（ショートコード）とを乗算した系列をスペクトラム拡散のための拡散符号として用いることが行われる。なお、基地局装置毎に固有である長い拡散符号としては例えばスクランブリングコードが用いられ、各チャネル毎に固有である短い拡散符号としては例えばチャネライゼーションコードが用いられる。
【０００５】
また、このようなシステムでは、例えば、前記基地局装置毎のスクランブリングコードによる拡散を一定の周期で行わない（マスクする）ことにより、システムで唯一である前記チャネライゼーションコードのみで拡散されるチャネルを一定周期で設けて同期チャネルとして用いることが行われる。また、このようなシステムでは、例えば、基地局装置から移動局装置への下り通信において報知チャネルを設け、当該報知チャネルの送信電力値（報知チャネル送信電力値）などの報知情報を当該報知チャネルを用いて送信することが行われる。
【０００６】
なお、例えば特開２００１−６９０９１号公報のブースター等には無線中継増幅装置に関して記載されており、例えば「ＤＳ−ＣＤＭＡ移動通信におけるロングコード同期、１９９５年電子情報通信学会総合大会  Ｂ−４２９  中村、梅田、東」や「ＤＳ−ＣＤＭＡ基地局間非同期セルラ方式におけるロングコードの２段階高速初期同期法、電子情報通信学会技報  ＣＳ９６−１９、ＲＣＳ９６−１２（１９９６−０５）、樋口、佐和橋、安達」には同期チャネルのサーチモードや報知チャネルのサーチモードなどに関して記載されており、例えば「３ＧＰＰＴＳ（Technical Specification）  ３ＧＴＳ２５．２１１」や「３ＧＰＰ  ＴＳ（Technical Specification）  ３ＧＴＳ２５．２１３」にはセルサーチに用いられる下り信号である同期チャネル（ＳＣＨ：Synchronisation Channel）などの種々なチャネルのフォーマット例などが記載されている。
【０００７】
【発明が解決しようとする課題】
しかしながら、上記従来技術における無線中継増幅装置では、例えば現在において通信対象としている基地局装置以外の基地局装置（他の基地局装置）から無線送信される信号のパスを検出するような場合に、このようなパス検出を効率化することが未だに不十分であり、特に、例えば現在において通信対象としている基地局装置から無線送信される信号の受信タイミングと近いタイミングで受信される他の基地局装置からの信号のパスを検出するような場合の効率が未だ不十分であった。
【０００８】
なお、例えば各基地局装置からの共通コードによる拡散信号の受信タイミングを分離し易いようにそのタイミングをずらすように最適に時間調整したような場合においても、実際の通信環境では、場所によっては、異なる基地局装置からの共通コードによる拡散信号の受信タイミングが重なってしまうようなことが生じてしまう。
【０００９】
本発明は、このような従来の課題を解決するためになされたもので、基準となる通信局装置以外の通信局装置から無線送信されて受信する信号を検出することを効率化することができる無線通信装置を提供することを目的とする。
【００１０】
【課題を解決するための手段】
上記目的を達成するため、本発明に係る無線通信装置では、複数の通信局装置に共通なコード（共通コード）を用いて拡散された信号（共通コード拡散信号）と各通信局装置毎に固有なコード（固有コード）を用いて拡散された信号（固有コード拡散信号）とを例えば同期させて無線送信する通信局装置からこれらの拡散信号を受信するに際して、次のようにして、基準となる通信局装置（基準通信局装置）以外の通信局装置（他の通信局装置）からの拡散信号を検出する。
すなわち、他局拡散信号検出手段が、共通コードを用いて検出される第１の拡散信号群の中で、基準となる通信局装置の固有コードを用いて検出される第２の拡散信号群と対応する拡散信号以外の拡散信号を、当該基準通信局装置以外の通信局装置からの拡散信号として検出する。
【００１１】
従って、このような簡易で効率的な方法により、基準通信局装置以外の通信局装置から無線送信されて受信する拡散信号を検出することができ、例えば従来と比べて、当該検出を効率化することができる。
【００１２】
ここで、無線通信装置としては、例えば無線中継増幅装置や移動局装置や基地局装置などの種々な通信装置に適用することが可能である。
また、通信局装置としては、例えば基地局装置が用いられるが、他の通信装置が用いられてもよい。
また、基準となる通信局装置としては、例えば現在において通信対象としている通信局装置が用いられ、具体例として、受信信号の伝搬損失が最小となる通信局装置が用いられる。また、基準となる通信局装置としては、例えば１つの通信局装置ばかりでなく、複数の通信局装置を用いることも可能である。
また、基準となる通信局装置が適時切り替えられるような態様を用いることもできる。
【００１３】
また、基準通信局装置以外の通信局装置から無線送信されて受信する信号を検出する態様としては、例えば当該受信信号自体の存在を検出することを行うような態様ばかりでなく、例えば何らかの受信信号が存在するが当該受信信号の送信元がわからないような場合に、当該受信信号を無線送信した通信局装置を特定した状態で当該受信信号を検出すること（つまり、当該通信局装置を同定すること）を行うような態様を含んでいる。
【００１４】
また、例えば通信局装置として基地局装置が用いられた場合、複数の通信局装置に共通なコードとしては、例えばシステムで唯一であって各チャネル毎に異なるチャネライゼーションコードを用いることができる。
また、この場合、各基地局装置毎に固有なコードとしては、例えば各基地局装置を識別するスクランブリングコードを用いることができ、また、例えばチャネライゼーションコードとスクランブリングコードとの積のコードなどを用いることもできる。
また、この場合、共通コードを用いて拡散された信号としては例えば同期チャネルの拡散信号を用いることができ、固有コードを用いて拡散された信号としては例えば報知チャネルや制御チャネルや情報チャネルなどの拡散信号を用いることができる。
【００１５】
また、共通コードを用いて検出される第１の拡散信号群としては、例えば１又は複数の共通コード拡散信号が検出され、例えば基準となる通信局装置以外の通信局装置からの拡散信号が含まれる。
また、基準となる通信局装置の固有コードを用いて検出される第２の拡散信号群としては、例えば当該基準通信局装置から無線送信される１又は複数の固有コード拡散信号が検出される。
なお、第１の拡散信号群や第２の拡散信号群のように群と言っているが、上述のように、拡散信号群としては、必ずしも複数の拡散信号を含まなくともよく、１つの拡散信号から構成されてもよい。
【００１６】
また、第１の拡散信号群の拡散信号や第２の拡散信号群の拡散信号を検出する仕方としては、例えば、検出を希望する拡散信号の拡散に用いられている所定のコード（共通コード、或いは、固有コード）と受信信号との相関演算を当該演算タイミングをずらしながら行って、当該相関値が所定の閾値を超えるタイミングで当該コードに対応した拡散信号が受信されていると検出するような仕方を用いることができる。
【００１７】
また、同一の通信局装置に関して第１の拡散信号群に含まれる共通拡散信号と第２の拡散信号群に含まれる固有拡散信号とが同期させられている場合には、第１の拡散信号群と第２の拡散信号群とを同期させて、つまり例えば拡散信号の受信タイミングを位置させる時間軸を一致させて、第１の拡散信号群と第２の拡散信号群との差分（互いに対応していない拡散信号）を検出すると、当該差分には基準通信局装置以外の通信局装置から無線送信されて受信した共通拡散信号が残る。このため、第１の拡散信号群の中で第２の拡散信号群と対応していない拡散信号を基準通信局装置以外の通信局装置から受信した拡散信号であるとみなすことができる。
【００１８】
また、本発明に係る無線通信装置では、好ましい構成例として、次のようにして、基準通信局装置以外の通信局装置からの拡散信号を検出する。
すなわち、他局拡散信号検出手段では、共通コード遅延プロファイル検出手段が共通コードを用いて受信信号から遅延プロファイルを検出し、共通コード比較手段が当該検出した遅延プロファイルと所定の閾値との大小を比較し、共通コード受信タイミング検出手段が当該比較結果に基づいて第１の拡散信号群の拡散信号の受信タイミングを検出する。また、同様に、固有コード遅延プロファイル検出手段が基準となる通信局装置の固有コードを用いて受信信号から遅延プロファイルを検出し、固有コード比較手段が当該検出した遅延プロファイルと所定の閾値との大小を比較し、固有コード受信タイミング検出手段が当該比較結果に基づいて第２の拡散信号群の拡散信号の受信タイミングを検出する。そして、受信タイミング比較手段が、共通コード受信タイミング検出手段により受信タイミングが検出されたが固有コード受信タイミング検出手段により受信タイミングが非検出であった（つまり、検出されなかった）拡散信号を、当該基準通信局装置以外の通信局装置からの拡散信号として検出する。
【００１９】
ここで、共通コードや固有コードを用いて受信信号から遅延プロファイルを検出する仕方としては、例えば一般に知られている仕方を用いることができる。具体的には、例えば、共通コード又は固有コードと受信信号との相関演算を当該演算タイミングをずらしながら行うことにより、遅延プロファイルを検出することができる。
【００２０】
また、共通コード比較手段により用いられる所定の閾値としては、種々な値が用いられてもよく、例えば当該閾値との大小関係に基づいて共通コードの遅延プロファイルから共通拡散信号の受信位置（受信タイミング）を検出することができるような値が用いられる。
同様に、固有コード比較手段により用いられる所定の閾値としては、種々な値が用いられてもよく、例えば当該閾値との大小関係に基づいて固有コードの遅延プロファイルから固有拡散信号の受信位置（受信タイミング）を検出することができるような値が用いられる。
なお、共通コード比較手段により用いられる所定の閾値と固有コード比較手段により用いられる所定の閾値としては、例えば同一の値が用いられてもよく、或いは、異なる値が用いられてもよい。
【００２１】
また、第１の拡散信号群や第２の拡散信号群の拡散信号の受信タイミングを検出する仕方としては、例えば、遅延プロファイルの中で所定の閾値を超える或いは所定の閾値以上となる位置（タイミング）に拡散信号が存在するとして当該拡散信号の受信タイミングを検出するような仕方を用いることができる。
【００２２】
また、本発明に係る無線通信装置では、好ましい態様として、他局拡散信号検出手段は、基準となる通信局装置からの拡散信号の受信タイミングを含む所定の時間幅の内側のタイミングで受信する拡散信号の中から、当該基準通信局装置以外の通信局装置からの拡散信号を検出する。
従って、例えば基準となる通信局装置から無線送信される拡散信号の受信タイミングと近いタイミングで受信される他の通信局装置からの拡散信号についても、当該拡散信号を効率的に検出することができる。
【００２３】
ここで、基準となる通信局装置から無線送信される信号の受信タイミングを含む所定の時間幅としては、種々な時間幅が用いられてもよい。
また、ＣＤＭＡ方式を用いた無線通信では、当該時間幅として、例えば基準となる信号を中心として±ｎチップの時間幅を用いることができ、ここで、ｎは１以上の数であり、また、チップは拡散符号を構成する単位であって、所定の複数のチップのデータ値（例えば、“１”値及び“０”値）の並びから１単位の拡散符号が構成される。
【００２４】
なお、本発明に係る無線通信装置では、好ましい態様として、例えばビル等による反射などによって無線通信される信号が複数のパスを経由して伝搬するようなマルチパスが発生する通信環境においては、次のように、各パスの信号毎に異なる信号が存在するとしてパス検出を行う。
すなわち、他局拡散信号検出手段は、基準となる通信局装置から無線送信される拡散信号が複数のパスを経由して到来する複数のパス信号として受信される場合にはこれら複数のパス信号の中のいずれか１つのパス信号を基準として前記所定の時間幅を設定し、また、当該基準通信局装置以外の通信局装置から無線送信される拡散信号が複数のパスを経由して到来する複数のパス信号として受信される場合には各パス信号毎にパス信号を検出する。なお、同一の信号から発生した複数のパス信号を受信側でＲＡＫＥ合成などにより合成する態様を用いることが可能である。
【００２５】
また、本発明に係る無線通信装置は、好ましい態様として、ＣＤＭＡ方式を用いた移動通信システムで用いられる無線通信装置に適用されるのに好適なものである。
ここで、ＣＤＭＡ方式としては、例えばＷ（Wideband）−ＣＤＭＡ方式などの種々な方式が用いられてもよい。
また、移動通信システムとしては、例えば携帯電話システムや簡易型携帯電話システム（ＰＨＳ：Personal Handy phone System）などの種々なシステムが用いられてもよい。
【００２６】
【発明の実施の形態】
本発明の一実施例を図面を参照して説明する。
図１には、本発明を適用した他局検出回路の一例を示してあり、この他局検出回路は、例えばＣＤＭＡ方式を用いて無線通信を行う移動通信システムの無線中継増幅装置に設けられて、基準となる基地局装置（基準基地局装置）以外の基地局装置（他の基地局装置）から無線送信されて当該無線中継増幅装置により受信する信号を検出する。
また、本例では、所定の時間窓を設けて、当該窓内に存在する他の基地局装置からの受信パスを検出する場合を示すが、本発明は、このような窓を設けない場合に適用することも可能なものである。
【００２７】
同図に示されるように、本例の他局検出回路には、基地局共通コード遅延プロファイル演算部１と、これに対応した閾値判定部２及びパスタイミング検出部３と、基地局固有コード遅延プロファイル演算部４と、これに対応した閾値判定部５及びパスタイミング検出部６と、これらに共通なパスタイミング比較部７とが備えられている。
【００２８】
基地局共通コード遅延プロファイル演算部１は、例えば移動通信システムに設けられた全ての基地局装置に共通なコード（基地局共通コード）を他の回路部（図示せず）から入力するとともに、所定の窓の内側（窓内）のタイミングで受信された信号を入力し、当該基地局共通コードと当該窓内タイミングの受信信号との相関演算を行い、当該相関結果を巡回平均演算することにより平均化した遅延プロファイルを取得する。なお、巡回平均演算としては、例えば、各演算タイミングでの相関結果値を複数回取得して平均化するような演算が用いられる。
【００２９】
閾値判定部２は、基地局共通コード遅延プロファイル演算部１から出力される平均遅延プロファイルの値（相関結果値の平均値）と所定の閾値との大小を比較して、当該平均遅延プロファイル値が当該閾値以上であるか否かを判定することにより閾値判定を行い、例えば当該平均遅延プロファイル値が当該閾値以上である場合には“１”値とする一方、当該平均遅延プロファイル値が当該閾値未満である場合には“０”値とするような方法で、当該平均遅延プロファイル値を２値化して、当該２値化データをパスタイミング検出部３へ出力する。なお、このような２値化データに基づいて、例えば基地局共通コードで拡散された信号の受信パス（例えば先行パスや遅延パス）の存在の有無を判定することが可能である。
【００３０】
パスタイミング検出部３は、閾値判定部２から入力される２値化データに基づいて、例えば当該データ値が“１”値である時のタイミングを基地局共通コードに対応した受信パス（例えば先行パスや遅延パス）が存在する時のタイミング（パスタイミング）として検出する。なお、このようなパス信号の受信タイミングの検出は、例えば送信側と受信側とで予め定められた一定パターンのシンボルの信号を通信して行われる。
【００３１】
また、基地局固有コードについても上記と同様な処理が行われる。
具体的には、基地局固有コード遅延プロファイル演算部４は、例えば移動通信システムに設けられた各基地局装置毎に異なるコード（基地局固有コード）を他の回路部（図示せず）から入力するとともに、所定の窓の内側（窓内）のタイミングで受信された信号を入力し、当該基地局固有コードと当該窓内タイミングの受信信号との相関演算を行い、当該相関結果を巡回平均演算することにより平均化した遅延プロファイルを取得する。
【００３２】
閾値判定部５は、基地局固有コード遅延プロファイル演算部４から出力される平均遅延プロファイルの値（相関結果値の平均値）と所定の閾値との大小を比較して、当該平均遅延プロファイル値が当該閾値以上であるか否かを判定することにより閾値判定を行い、例えば当該平均遅延プロファイル値が当該閾値以上である場合には“１”値とする一方、当該平均遅延プロファイル値が当該閾値未満である場合には“０”値とするような方法で、当該平均遅延プロファイル値を２値化して、当該２値化データをパスタイミング検出部６へ出力する。なお、このような２値化データに基づいて、例えば基地局固有コードで拡散された信号の受信パス（例えば先行パスや遅延パス）の存在の有無を判定することが可能である。
【００３３】
パスタイミング検出部６は、閾値判定部５から入力される２値化データに基づいて、例えば当該データ値が“１”値である時のタイミングを基地局固有コードに対応した受信パス（例えば先行パスや遅延パス）が存在する時のタイミング（パスタイミング）として検出する。なお、このようなパス信号の受信タイミングの検出は、例えば送信側と受信側とで予め定められた一定パターンのシンボルの信号を通信して行われる。
【００３４】
また、パスタイミング比較部７は、基地局共通コードを用いた側のパスタイミング検出部３から出力されるパスタイミングの情報と基地局固有コードを用いた側のパスタイミング検出部６から出力されるパスタイミングの情報とを比較して、これら２つのパスタイミングの差分（例えば、（共通コードによりパスタイミングが検出されたもの）−（固有コードによりパスタイミングが検出されたもの））に残留するパスタイミングが存在した場合に、基準基地局装置以外の基地局装置からのパスが存在すると判定して、その旨を当該他局検出回路の外部にある他の回路部（図示せず）へ報告する。
【００３５】
次に、図２を参照して、上記図１に示した本例の他局検出回路の動作の一例を示す。
まず、基地局共通コード遅延プロファイル演算部１により基地局共通コードと窓内タイミングの受信信号との相関演算を行い、その相関結果を巡回平均演算することにより遅延プロファイルを得る。
【００３６】
図２（Ａ）には、基地局共通コード遅延プロファイル演算部１により取得されて出力される遅延プロファイルの一例を示してあり、この遅延プロファイルは遅延時間（横軸）と受信電力（縦軸）との関係で示される。また、同図（Ａ）には、例えば時刻Ｔ１から時刻Ｔ２（Ｔ１＜Ｔ２）までの時間を区切る窓を示してあり、本例では、当該窓の内側の受信信号について他局（他の基地局装置）からの受信パスを検出する。
【００３７】
同図（Ａ）に示されるように、この遅延プロファイルでは、基地局共通コードとの間で相関のある遅延時間の位置（タイミング）で受信電力が大きくなり、このような時間にパス信号（例えば先行パスや遅延パス）が受信機（例えば、本例の他局検出回路を設けた通信装置）に到来していることがわかる。また、遅延パスは様々な方向から到来してそれぞれ到来時間が異なるため、遅延時間方向に分散を伴なっている。
【００３８】
なお、このような遅延プロファイルを取得するための処理部の回路としては、例えば後述する参考技術例で説明する無線中継増幅装置に備えられるパス検出回路と同一の機能を有するようなものとして構成することができるが、本例では、当該参考技術例に示す場合と比較して、相関演算を行うタイミングが窓外のタイミングではなくて窓内のタイミングである点が異なっている。
【００３９】
上記のようにして窓内のタイミングで演算された遅延プロファイルは閾値判定部２に入力され、パスの有無が判定される。
図２（Ａ）には、横軸と平行な点線で閾値の一例を示してある。この閾値以上の受信電力が確認された場合にはパスが存在するとして例えばハイレベル（Ｈｉ）の電圧信号（例えば“１”値）を出力する一方、当該閾値未満の受信電力が確認された場合にはパスが非存在である（つまり、存在しない）として例えばロウレベル（Ｌｏ）の電圧信号（例えば“０”値）を出力する。なお、本例では、閾値以上であるか或いは閾値未満であるかの判定を行ったが、例えば閾値を超えるか或いは閾値以下であるかなどの判定を行うこともでき、閾値と一致する場合の取り扱いについては任意に設定されてもよい。
【００４０】
上記のようにして検出されたパスの有無の判定値はパスタイミング検出部３に入力され、当該パスタイミング検出部３によりパスが存在する時のタイミングを検出してそのタイミング情報を出力する。
図２（Ａ’）には、パスタイミング検出部３から出力されるパスのタイミングの検出結果の一例を示してあり、横軸は時刻（タイミング）を示しており、パスが存在するタイミングの位置に上向きの矢印（↑）を示してある。なお、同図（Ａ’）には、説明の便宜上から、同図（Ａ）に示した遅延プロファイルや閾値についても示してある。また、同図（Ａ’）の例では、検出された４つのパスタイミングＰ１〜Ｐ４を示してある。
【００４１】
以上は基地局共通コードに対する処理であったが、全く同様の処理を基地局固有コード遅延プロファイル演算部４や閾値判定部５やパスタイミング検出部６を用いて、通信対象となる基地局装置（基準基地局装置）の基地局固有コードに対して行う。すると、当該基準基地局装置からのパスに対してのみ相関がとれる。
【００４２】
ここで、図２（Ｂ）には、基地局固有コード遅延プロファイル演算部４により取得されて出力される遅延プロファイルの一例を示してあり、この遅延プロファイルは遅延時間（横軸）と受信電力（縦軸）との関係で示される。また、同図（Ｂ）には、例えば時刻Ｔ１から時刻Ｔ２（Ｔ１＜Ｔ２）までの時間を区切る窓を示してあり、上述のように、本例では、当該窓の内側の受信信号について他局（他の基地局装置）からの受信パスを検出する。また、同図（Ｂ）には、横軸と平行な点線で閾値の一例を示してある。
【００４３】
また、図２（Ｂ’）には、パスタイミング検出部６から出力されるパスのタイミングの検出結果の一例を示してあり、横軸は時刻（タイミング）を示しており、パスが存在するタイミングの位置に上向きの矢印（↑）を示してある。なお、同図（Ｂ’）には、説明の便宜上から、同図（Ｂ）に示した遅延プロファイルや閾値についても示してある。また、同図（Ｂ’）の例では、検出された３つのパスタイミングＰ１’、Ｐ２’、Ｐ４’を示してあり、本例では、これら３つのパスタイミングＰ１’、Ｐ２’、Ｐ４’がそれぞれ同図（Ａ’）に示した３つのパスタイミングＰ１、Ｐ２、Ｐ４と対応しており、１つのパスタイミングＰ３については共通コードでのみ検出されている。
【００４４】
図２（Ａ’）に示したパスタイミング検出結果と同図（Ｂ’）に示したパスタイミング検出結果とを比較してみると、基地局共通コードで認識したパスの状態（同図（Ａ）、（Ａ’）に示したもの）と基地局固有コードで認識したパスの状態（同図（Ｂ）、（Ｂ’）に示したもの）とは異なっており、同図（Ａ）、（Ａ’）に見られた左から３番目のパスＰ３に対応するパスが同図（Ｂ）、（Ｂ’）では見られない。
【００４５】
このような比較結果に基づくと、基地局共通コードとの相関があって且つ基準基地局装置の基地局固有コードとの相関がないことから、左から３番目のパスＰ３は当該基準基地局装置以外の基地局装置からのパスである可能性が高いと言える。このように、基地局共通コードによるパスタイミングと基地局固有コードによるパスタイミングとの差分を検出することがパスタイミング比較部７により行われ、当該パスタイミング比較部７は、２つのパスタイミング検出部３、６からのタイミング情報を比較することにより当該差分を検出してその解析結果を外部へ報告する。
【００４６】
そして、当該外部ではその報告を受け、適宜検出した他の基地局装置のパスタイミング（本例では、例えば前記左から３番目のパスＰ３）において当該パスの拡散に用いられた他の基地局装置の固有コードを同定するなどし、これにより、前記窓内においても他の基地局装置からの受信パスを効率的に検出することができる。
【００４７】
なお、本例では、詳しい説明を省略したが、例えば後述する参考技術例で説明する無線中継増幅装置と同様に、まず、同期チャネルサーチの処理及び報知チャネルサーチの処理を行って、当該報知チャネル内の情報に基づいて通信対象となる基地局装置（基準基地局装置）を決定することが行われる。そして、その後、通信対象となる基地局装置以外の基地局装置の検出を行なう場合に、通信対象となる基地局装置の固有コード（例えばスクランブリングコード）が既知であることを利用して、共通コード（例えばチャネライゼーションコード）を用いて演算した遅延プロファイルと当該固有コードを用いて演算した遅延プロファイルとを比較することにより、通信対象となる基地局装置以外の基地局装置からの受信パスを判別する。
【００４８】
以上のように、本例の無線通信装置に設けられた他局検出回路では、共通コードを用いて得られる遅延プロファイルと通信対象となる基地局装置に固有のコードを用いて得られる遅延プロファイルとを測定し、その差分に基づいて通信対象となる基地局装置以外の基地局装置からの信号の存在を検出することにより、このような他の基地局装置からの信号を効率よく検出することができる。
【００４９】
更に具体的には、本例の他局検出回路では、例えば特定のタイミング（本例では、窓）内における他の基地局装置からの信号の存在を検出する場合に、基地局共通コードによる遅延プロファイルを演算し、当該演算値の出力を閾値判定し、当該閾値判定の結果の出力に基づいてパスタイミングを検出し、また、基地局固有コードによる遅延プロファイルを演算し、当該演算値の出力を閾値判定し、当該閾値判定の結果の出力に基づいてパスタイミングを検出し、そして、基地局共通コードによるパスタイミング検出結果の出力と基地局固有コードによるパスタイミング検出結果の出力とを比較して両者の差分を検出し、当該差分に基づいて現在において検出されていない新たな基地局装置（他の基地局装置）からの受信パスの存在タイミングを検出して、その情報を外部へ出力する。
【００５０】
なお、後述する参考技術例で説明する無線中継増幅装置では、例えばシステムで共通な短い拡散符号（共通コード）でのみ拡散を行った同期チャネルにおける長区間の遅延プロファイル内の強電界パスに対して時間窓を設定することにより、当該窓外に出現した新規なパスを効率よく検出して新規基地局の検出遅れや基地局誤認定が少ない他の基地局装置の検出処理を可能としている。しかしながら、この技術では、例えば現実には各基地局装置からの共通コードによる拡散信号のタイミングが分離しやすいように当該タイミングをずらすように最適に時間調整しても場所によっては基地局装置間で当該タイミングが重なってしまうことが生じることから、このような場合には、時間窓内に出現した他の基地局装置からのパスを認識することができないため、基地局未検出が起きてしまうという可能性が考えられる。これに対して、本例の他局検出回路の技術では、例えば時間窓内に出現した他の基地局装置からのパスを効率よく検出することができ、これにより、基地局装置の未検出を防ぎながら且つ効率的に周辺の新たな基地局装置を検出することが可能となり、このメリットは非常に大きい。
【００５１】
また、本例では、本発明を適用したパス検出の方法を例えば後述する参考技術例で示すような無線中継増幅装置の利得制御に適用するような場合を示したが、このようなパス検出方法を、例えば無線携帯機などの移動局装置が通信対象とする基地局装置を検索するパスサーチのような処理に適用することもできる。このような移動局装置におけるパスサーチでは、本発明を適用したパス検出方法により、例えば、スペクトラム拡散された受信信号から複数のパスを検出し、検出したパスの中から基準となるパスを選択し、選択した基準となるパスの付近の一定範囲内でのパス検出処理などを行うことにより、例えば伝搬損が最小となるような通信対象として最適な基地局装置を検索する。ここで、パスサーチとしては、例えば移動局装置の起動時などに行われる初期的なパスサーチや、例えばハンドオーバ時に行われるパスサーチなどに適用することができる。
【００５２】
ここで、本例では、例えばチャネライゼーションコードから構成される基地局共通コードが共通コードとして用いられており、同期チャネルの拡散信号が当該共通コードを用いて拡散された信号として用いられており、また、例えばスクランブリングコード或いはスクランブリングコードとチャネライゼーションコードとの積に相当するコードから構成される基地局固有コードが固有コードとして用いられており、報知チャネルの拡散信号が当該固有コードを用いて拡散された信号として用いられている。
【００５３】
また、本例では、同一の基地局装置から無線送信される拡散信号について、共通コードを用いて拡散された信号（共通拡散信号）と固有コードを用いて拡散された信号（固有拡散信号）とは同期させられており、受信側では、例えば共通拡散信号の受信タイミングや固有拡散信号の受信タイミングに基づいて、同一の基地局装置から受信した共通拡散信号と固有拡散信号とを各パス信号毎に対応付けることができる。
【００５４】
また、本例では、他局検出回路に備えられた各処理部１〜７の機能により、他局拡散信号検出手段が構成されている。
また、本例では、基地局共通コードに対応した処理部１〜３により検出される１又は複数の拡散信号から第１の拡散信号群が構成され、基地局固有コードに対応した処理部４〜６により検出される１又は複数の拡散信号から第２の拡散信号群が構成される。
【００５５】
また、本例では、基地局共通コード遅延プロファイル演算部１の機能により共通コード遅延プロファイル検出手段が構成されており、閾値判定部２の機能により共通コード比較手段が構成されており、パスタイミング検出部３の機能により共通コード受信タイミング検出手段が構成されており、基地局固有コード遅延プロファイル演算部４の機能により固有コード遅延プロファイル検出手段が構成されており、閾値判定部５の機能により固有コード比較手段が構成されており、パスタイミング検出部６の機能により固有コード受信タイミング検出手段が構成されており、パスタイミング比較部７の機能により受信タイミング比較手段が構成されている。
【００５６】
また、本例では、上記した時間窓により、基準となる通信局装置からの拡散信号の受信タイミングを含む所定の時間幅が構成されている。
なお、本例では、無線通信装置として無線中継増幅装置が用いられており、通信局装置として基地局装置が用いられている。
また、本例では、基準基地局装置からの拡散信号が複数パス存在する場合には、例えば最も受信状態が良好なパス（パイロットパス）の受信信号を基準として前記時間窓を設定する。
【００５７】
ここで、本発明に係る無線通信装置などの構成としては、必ずしも以上に示したものに限られず、種々な構成が用いられてもよい。
また、本発明の適用分野としては、必ずしも以上に示したものに限られず、本発明は、種々な分野に適用することが可能なものである。
【００５８】
また、本発明に係る無線通信装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００５９】
以下で、本発明の参考となる技術例を示しておく。
参考技術例に係る無線中継増幅装置を説明する。
本例の無線中継増幅装置では、基地局装置から無線送信される同期チャネルや報知チャネルの拡散信号を受信するに際して、受信した同期チャネルの拡散信号に基づいて受信タイミングや当該基地局装置により用いられる拡散符号（コード）を検出し、受信した報知チャネルの拡散信号に基づいて報知情報を取得する。ここで、基地局装置により用いられる拡散符号としては、例えばシステムで唯一な同期用のチャネライゼーションコードや、例えば各基地局装置毎に固有なスクランブリングコードなどがあり、報知チャネルの拡散符号としては例えばチャネライゼーションコードとスクランブリングコードとの積に相当するコードが用いられる。
【００６０】
また、本例の無線中継増幅装置では、基準となる基地局装置（基準基地局装置）から受信される複数のパス信号の中で受信レベルが最大となるパス信号をパイロットパス信号として、当該パイロットパス信号を基準として時間窓を例えば１スロット分の時間内に設け、当該１スロット分の時間内であって当該窓の外側のタイミングで受信される信号を当該基準基地局装置以外の基地局装置（他の基地局装置）から無線送信されて受信する信号として検出するような窓外他局検出処理を行い、これにより、未だに検出されていない他の基地局装置からの受信パス信号の存在やその拡散に用いられた拡散符号を検出する。
【００６１】
また、本例の無線中継増幅装置では、受信信号を検出した各基地局装置に関して受信信号の伝搬損などの情報を記憶し、当該伝搬損が最も小さくなる基地局装置に対応して下り信号（基地局装置から移動局装置に対する信号）や上り信号（移動局装置から基地局装置に対する信号）に係る中継増幅の利得を制御する。また、当該伝搬損が最も小さくなる基地局装置を上記した基準基地局装置として用いる。
【００６２】
また、本例の無線中継増幅装置では、具体的な動作例として、同期チャネルサーチモードでの処理、報知チャネルサーチモードでの処理、他局サーチモードでの処理が行われる。
同期チャネルサーチモードでは、同期チャネルに基づいて、基地局装置からの受信信号の受信タイミングを検出し、当該受信タイミングを用いて当該基地局装置で用いられたスクランブリングコードを同定する。
報知チャネルサーチモードでは、当該同定されたスクランブリングコードを用いて、当該基地局装置からの報知チャネルの受信タイミングなどを検出する。
他局サーチモードでは、未だに受信パスの存在が検出されていない基地局装置により用いられているスクランブリングコードを同定して、当該基地局装置からの受信パスを検出する。
【００６３】
【発明の効果】
以上説明したように、本発明に係る無線通信装置によると、複数の通信局装置に共通なコードを用いて拡散された信号と各通信局装置毎に固有なコードを用いて拡散された信号とを無線送信する通信局装置からこれらの拡散信号を受信するに際して、共通コードを用いて検出される第１の拡散信号群の中で基準となる通信局装置の固有コードを用いて検出される第２の拡散信号群と対応する拡散信号以外の拡散信号を当該基準通信局装置以外の通信局装置からの拡散信号として検出するようにしたため、例えば従来と比べて、簡易に効率的に、基準通信局装置以外の通信局装置から無線送信されて受信する拡散信号を検出することができる。
【図面の簡単な説明】
【図１】  本発明の一実施例に係る時間窓内にある他の基地局装置からの受信パスを検出する回路（他局検出回路）の一例を示す図である。
【図２】  遅延プロファイルとパスタイミングの一例を示す図である。
【符号の説明】
１・・基地局共通コード遅延プロファイル演算部、  ２、５・・閾値判定部、
３、６・・パスタイミング検出部、
４・・基地局固有コード遅延プロファイル演算部、
７・・パスタイミング比較部、
【図１】
0003934438.tif 000002
【図２】
0003934438.tif 000003